【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、複数のレンズ群を有する全体として正の屈折力の後続レンズ群より構成され、ズーミングに際して隣り合うレンズ群の間隔が変化するズームレンズにおいて、前記第２レンズ群は、負レンズと、負レンズの面に正の屈折力の樹脂層が形成されてなる複合型光学素子とにより構成され、前記樹脂層の物体側と像側の面の曲率半径を各々ｒ１、ｒ２、前記樹脂層の材料のアッベ数と部分分散比を各々ν222、θ222、前記樹脂層の焦点距離をｆ222、全系の広角端と望遠端における焦点距離を各々ｆｗ、ｆｔとするとき
−０．９５＜（ｒ１＋ｒ２）／（ｒ１−ｒ２）＜０
０．７５５＜θ222−（−１．６６５×１０−７・ν222３＋５．２１３×１０−５・ν222２−５．６５６×１０−３・ν222）＜１．０１１
５＜ν222＜３０
０．３８＜√（ｆｗ・ｆｔ）／ｆ２２２＜０．８０
なる条件式を満足することを特徴とするズームレンズ。
【請求項２】
前記樹脂層の空気と接する面は、中心部から周辺部に向かうにつれて正の屈折力が大きくなる形状の非球面であることを特徴とする請求項１に記載のズームレンズ。
【請求項３】
前記複合型光学素子を構成する負レンズの焦点距離および材料のアッベ数を各々ｆ221、ν221とするとき、
０．００７＜（√（ｆｗ・ｆｔ））・（１／（ｆ２２１・ν２２１）＋１／（ｆ２２２・ν２２２））＜０．０５０
なる条件式を満足することを特徴とする請求項１又は２に記載のズームレンズ。
【請求項４】
前記複合型光学素子の焦点距離をｆ22とするとき、
−０．０５＜√（ｆｗ・ｆｔ）／ｆ２２＜０．５０
なる条件式を満足することを特徴とする請求項１乃至３のいずれか１項に記載のズームレンズ。
【請求項５】
前記複合型光学素子を構成する負レンズの中心肉厚をｔ221、前記樹脂層の中心肉厚をｔ222とするとき、
０．１＜ｔ222／ｔ221＜１．５
なる条件式を満足することを特徴とする請求項１乃至４のいずれか１項に記載のズームレンズ。
【請求項６】
前記樹脂層の材料の屈折率をN222とするとき、
１．６０＜N222＜１．８５
なる条件式を満足することを特徴とする請求項１乃至５のいずれか１項に記載のズームレンズ。
【請求項７】
前記複合型光学素子を構成する負レンズの材料のアッベ数をν221とするとき、２５＜ν221−ν222＜６０
なる条件式を満足することを特徴とする請求項１乃至６のいずれか１項に記載のズームレンズ。
【請求項８】
広角端から望遠端へのズーミングに際して全てのレンズ群が移動することを特徴とする請求項１乃至７のいずれか１項に記載のズームレンズ。
【請求項９】
請求項１から８のいずれか１項に記載のズームレンズと、該ズームレンズによって形成された像を受光する固体撮像素子を有することを特徴とする撮像装置。
【手続補正２】
【補正対象書類名】明細書
【補正対象項目名】００１６
【補正方法】変更
【補正の内容】
【００１６】
本発明のズームレンズは、物体側より像側へ順に、正の屈折力の第１レンズ群、負の屈折力の第２レンズ群、複数のレンズ群を有する全体として正の屈折力の後続レンズ群より構成され、ズーミングに際して隣り合うレンズ群の間隔が変化するズームレンズにおいて、前記第２レンズ群は、負レンズと、負レンズの面に正の屈折力の樹脂層が形成されてなる複合型光学素子とにより構成され、前記樹脂層の物体側と像側の面の曲率半径を各々ｒ１、ｒ２、前記樹脂層の材料のアッベ数と部分分散比を各々ν222、θ222、前記樹脂層の焦点距離をｆ222、全系の広角端と望遠端における焦点距離を各々ｆｗ、ｆｔとするとき
−０．９５＜（ｒ１＋ｒ２）／（ｒ１−ｒ２）＜０
０．７５５＜θ222−（−１．６６５×１０−７・ν222３＋５．２１３×１０−５・ν222２−５．６５６×１０−３・ν222）＜１．０１１
５＜ν222＜３０
０．３８＜√（ｆｗ・ｆｔ）／ｆ２２２＜０．８０
なる条件式を満足することを特徴としている。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００２１
【補正方法】変更
【補正の内容】
【００２１】
本発明のズームレンズは、物体側より像側へ順に、正の屈折力の第１レンズ群、負の屈折力の第２レンズ群、複数のレンズ群を有する全体として正の屈折力の後続レンズ群を有している。そして隣り合うレンズ群の間隔が変化してズーミングを行っている。
【手続補正６】
【補正対象書類名】明細書
【補正対象項目名】００２２
【補正方法】変更
【補正の内容】
【００２２】
第２レンズ群は、負レンズと、負レンズの面に正の屈折力の樹脂層が形成されてなる複合型光学素子から構成されている。
【手続補正７】
【補正対象書類名】明細書
【補正対象項目名】００３３
【補正方法】変更
【補正の内容】
【００３３】
収差図において実線はｄ線（波長587.6nm）、点線はｇ線（波長435.8nm）、ΔＭ，ΔＳはメリディオナル像面，サジタル像面である。ωは半画角、ＦはＦナンバーである。
【手続補正８】
【補正対象書類名】明細書
【補正対象項目名】００３５
【補正方法】変更
【補正の内容】
【００３５】
各実施例はいずれも、物体側より像側へ順に、正の屈折力の第１レンズ群Ｌ１、負の屈折力の第２レンズ群Ｌ２、複数のレンズ群を有する全体として正の屈折力の後続レンズ群ＬＲを有している。
【手続補正９】
【補正対象書類名】明細書
【補正対象項目名】００３６
【補正方法】変更
【補正の内容】
【００３６】
そしてズーミングに際して隣り合うレンズ群間隔が変化している。後続レンズ群ＬＲは実施例１〜３では、正の屈折力の第３レンズ群Ｌ３と正の屈折力の第４レンズ群Ｌ４により構成されている。
【手続補正１０】
【補正対象書類名】明細書
【補正対象項目名】００４０
【補正方法】変更
【補正の内容】
【００４０】
このとき
−０．９５＜（ｒ１＋ｒ２）／（ｒ１−ｒ２）＜０ ・・・（１）
０．７５５＜θ222−（−１．６６５×１０−７・ν222３＋５．２１３×１０−５・ν222２−５．６５６×１０−３・ν222）＜１．０１１・・・（２）
５＜ν222＜３０ ・・・（３）
【手続補正１１】
【補正対象書類名】明細書
【補正対象項目名】００７８
【補正方法】変更
【補正の内容】
【００７８】
３０＜ν221−ν222＜５０ ・・・（９ａ）
この他各実施例では、樹脂層の空気と接する面は、レンズ中心部からレンズ周辺部に向かうにつれて正の屈折力が大きくなるような非球面形状としている。これにより第２レンズ群Ｌ２を構成する負レンズＧ２１によって発生する諸収差、特に下方性コマ収差を良好に補正している。
【手続補正１２】
【補正対象書類名】明細書
【補正対象項目名】００８２
【補正方法】変更
【補正の内容】
【００８２】
各実施例においてはズーミング時のＦ値変動を統制するためにズーミングに際して開口絞りＳＰの開口径の制御を行なうようにしても良い。また像面ＩＰ上に形成された光学像を電気信号に変換する撮像素子を備えた撮像装置と組み合わせた場合などにおいては歪曲収差量が大きいときは電気的な補正を行っても良い。
【手続補正１３】
【補正対象書類名】明細書
【補正対象項目名】００９３
【補正方法】変更
【補正の内容】
【００９３】
複合型光学素子ＧＬは、負レンズ（最も物体側から数えて第４番目）を基板硝子として、その上に正の屈折力を有する薄い樹脂層を積層して構成している。
【手続補正１４】
【補正対象書類名】明細書
【補正対象項目名】０１０４
【補正方法】変更
【補正の内容】
【０１０４】
複合型光学素子ＧＬについては、負レンズ（最も物体側から数えて第５番目）を基板硝子としてその上に、正の屈折力を有する薄い樹脂層を積層して構成している。
【手続補正１５】
【補正対象書類名】明細書
【補正対象項目名】０１１０
【補正方法】変更
【補正の内容】
【０１１０】
第２レンズ群Ｌ２は実施例１と同様、物体側から順に負レンズＧ２１、複合型光学素子（凹レンズ＋凸樹脂層）ＧＬのみの構成としている。複合型光学素子ＧＬについては、負レンズ（最も物体側から数えて第４番目）を基板硝子として、その上に正の屈折力を有する薄い樹脂層を積層して構成している。
【手続補正１６】
【補正対象書類名】明細書
【補正対象項目名】０１１９
【補正方法】変更
【補正の内容】
【０１１９】
複合型光学素子ＧＬについては、負レンズ（最も物体側から数えて第６番目）を基板硝子としてその上に、正の屈折力を有する薄い樹脂層を積層して構成している。